(57)【要約】【課題】従来よりも多くの遊技媒体収納箱を積み重ねて、安全に運搬し得る遊技媒体収納箱運搬用台車を提供する。【解決手段】遊技媒体収納箱運搬用台車１は、ハンドル５及びポールの少なくとも一方が立設された台車本体３上に複数の遊技媒体収納箱２を積み重ねて運搬するものである。上記各遊技媒体収納箱２に、それぞれ周縁より内側に凹ませてなりかつ上記ハンドル又はポールの外周に嵌合可能な嵌合溝１８を形成し、この嵌合溝により各遊技媒体収納箱を拘束するように構成する。【選択図】図２
0003129987.tif 000002
【実用新案登録請求の範囲】
【請求項１】
ハンドル及びポールの少なくとも一方が立設された台車本体上に複数の遊技媒体収納箱を積み重ねて運搬する遊技媒体収納箱運搬用台車において、
上記各遊技媒体収納箱にはそれぞれ周縁より内側に凹ませてなりかつ上記ハンドル又はポールの外周に嵌合可能な嵌合溝が形成され、この嵌合溝により各遊技媒体収納箱を拘束するように構成されていることを特徴とする遊技媒体収納箱運搬用台車。
【請求項２】
上記ハンドルは、水平方向に延びる握り部と、この握り部の両端からそれぞれ下方に延び、かつ下端が台車本体に設けた挿入孔に挿入して固定される左右一対の脚部とからなり、上記各遊技媒体収納箱には、上記ハンドルの各脚部の外周に嵌合可能な嵌合溝が少なくとも２つずつ形成され、この両嵌合溝が共にハンドルの各脚部の外周に嵌合することで各遊技媒体収納箱を拘束するように構成されている請求項１記載の遊技媒体収納箱運搬用台車。
【請求項３】
上記ポールは、台車本体の中央部に立設されており、台車本体上には、このポールを挟んだ２個所にそれぞれ複数の遊技媒体収納箱が積み重ねて載置され、上記各遊技媒体収納箱は、その嵌合溝をポールに嵌合して載置されるとともに、少なくとも最上段の隣接する遊技媒体収納箱同士を結合部材により結合することで拘束されるようになっている請求項１記載の遊技媒体収納箱運搬用台車。
【請求項４】
上記嵌合溝は、遊技媒体収納箱の周縁より内側にポールの直径寸法程度凹ませて形成されており、遊技媒体収納箱は、この嵌合溝内にポールを嵌め入れた状態で載置されるとともに、嵌合溝の縁部間に閂部材を掛け渡すことでポールに固定して拘束されるように設けられている請求項１記載の遊技媒体収納箱運搬用台車。
【請求項５】
周縁より内側に凹ませてなる嵌合溝を有し、ハンドル及びポールの少なくとも一方が立設された台車上に積み重ねて運搬するとき上記嵌合溝がハンドル又はポールの外周に嵌合して拘束されるように設けられていることを特徴とする遊技媒体収納箱。
【考案の詳細な説明】
【技術分野】
【０００１】
本考案は、パチンコ玉や遊技メダルなどの遊技媒体を収納する遊技媒体収納箱を運搬するのに用いる遊技媒体収納箱運搬用台車及び遊技媒体収納箱に関する。
【背景技術】
【０００２】
一般に、パチンコホールなどの遊技場において、遊技者がパチンコ機などの遊技機で大当たりを繰り返すことによって大量の遊技媒体を獲得した場合、その遊技者は、遊技中は遊技媒体を俗にドル箱と称する収納箱に入れ、その収納箱が複数になると床上又はホール従業員が予め用意してくれる台車上にそれらの収納箱を積み重ねて置き、遊技終了後に台車で収納箱を計数機の設置場所にまで運搬する。
【０００３】
そして、遊技媒体を収納する収納箱を運搬するのに用いる台車つまり遊技媒体収納箱運搬用台車としては、例えば特許文献１に開示されているように、収納箱を載置する台車本体と、この台車本体の裏面に設けられた４つの車輪と、台車本体の後端部に立設されたハンドルとを備えたものがよく知られている。この種の台車では、通常、不使用時の収納性を考慮して、ハンドルが台車本体に設けた挿入孔に抜き差し自在に連結されるようになっている。また、台車本体には、ハンドルとは別に、大量の遊技媒体を獲得した遊技者を賞讃するための旗を立てたり、装飾を施したりするためのポールを立設することがある。
【０００４】
ところが、上記従来の遊技媒体収納箱運搬用台車では、台車本体上に収納箱を積み重ねて載置できるのはせいぜい５箱程度に過ぎず、それ以上に積み重ねると不安定となり、倒れる可能性が高くなる。このため、多くの収納箱を運搬する場合には、ホール従業員に複数台の台車を用意してもらい、１台毎に５箱程度の収納箱を積み重ねて載置した上、狭い通路を通って計数機の設置場所にまで運搬することを複数回繰り返さなければならないという問題がある。
【０００５】
一方、特許文献２には、複数の遊技媒体収納箱を安定して積み重ねるための構成が開示されている。すなわち、遊技媒体収納箱の上面開口縁の各長辺側に、それぞれ互いに遊技媒体収容箱の底面部の短辺間隔と同一寸法隔てた一対の上部溝部を設けるとともに、遊技媒体収納箱の底面部の各長辺側に、それぞれ互いに遊技媒体収容箱の上面開口縁の短辺間隔と同一寸法隔てた一対の下部切り欠き部を設け、１つの遊技媒体収納箱の上に他の遊技媒体収納箱を積み重ねるときに長辺方向が直交するように積み重ね、かつ下側の遊技媒体収納箱の各上部溝部と上側の遊技媒体収納箱の各下部切り欠き部とがそれぞれ嵌り合うように構成するものである。
【０００６】
しかし、上記特許文献２のものでは、台車上に複数の遊技媒体収納箱を積み重ねて載置するとき、台車本体の面積が１つの遊技媒体収納箱を載置し得る大きさものであれば半数の遊技媒体収納箱が台車本体から側方に大きくはみ出すことになる。また、台車本体の面積が２つの遊技媒体収納箱を並列に載置し得る大きさものであれば遊技媒体収納箱のはみ出しの問題は解消できるが、１台の台車で一度に運搬できる遊技媒体収納箱の個数は従来のものよりも却って少なくなる。
【特許文献１】特開２００４−１６２６３号公報
【特許文献２】特開平９−２４８３８０号公報
【考案の開示】
【考案が解決しようとする課題】
【０００７】
本考案はかかる諸点に鑑みてなされたものであり、その第１の課題とするところは、特に、台車本体に立設されるハンドル又はポールに着目し、このハンドル又はポールを利用して、台車本体上に積み重ねて載置される遊技媒体収納箱を拘束することにより、従来よりも多くの遊技媒体収納箱を積み重ねて、安全に運搬し得る遊技媒体収納箱運搬用台車を提供せんとするものである。
【０００８】
また、本考案の第２の課題は、上記の遊技媒体収納箱運搬用台車を実施するのに適した遊技媒体収納箱を提供するものである。
【課題を解決するための手段】
【０００９】
上記第１の課題を解決するため、請求項１に係る考案は、ハンドル及びポールの少なくとも一方が立設された台車本体上に複数の遊技媒体収納箱を積み重ねて運搬する遊技媒体収納箱運搬用台車において、上記各遊技媒体収納箱に、それぞれ周縁より内側に凹ませてなりかつ上記ハンドル又はポールの外周に嵌合可能な嵌合溝を形成し、この嵌合溝により各遊技媒体収納箱を拘束するように構成する。
【００１０】
この構成では、台車本体上に積み重ねて載置された複数の遊技媒体収納箱は、それぞれ周縁に形成した嵌合溝が台車本体に立設されたハンドル又はポールの外周に嵌合して拘束された状態にあるため、台車で運搬するときでも遊技媒体収納箱が横ずれなどを生じることはなく、安全にかつ数多くの遊技媒体収納箱を一度に運搬することができる。
【００１１】
請求項２ないし請求項４に係る発明は、いずれも請求項１記載の遊技媒体収納箱運搬用台車において、上記嵌合溝により遊技媒体収納箱を拘束する具体的な形態を提供するものである。
【００１２】
すなわち、請求項２に係る発明は、上記ハンドルを、水平方向に延びる握り部と、この握り部の両端からそれぞれ下方に延び、かつ下端が台車本体に設けた挿入孔に挿入して固定される左右一対の脚部とによって構成する一方、上記各遊技媒体収納箱に、上記ハンドルの各脚部の外周に嵌合可能な嵌合溝を少なくとも２つずつ形成し、この両嵌合溝が共にハンドルの各脚部の外周に嵌合することで各遊技媒体収納箱を拘束するように構成する。この構成では、各遊技媒体収納箱の２個所に形成した嵌合溝がそれぞれハンドルの左右一対の脚部に嵌合することにより、遊技媒体収納箱の拘束状態を容易にかつ確実に実現することができる。
【００１３】
請求項３に係る考案は、上記ポールを、台車本体の中央部に立設し、台車本体上の、このポールを挟んだ２個所にそれぞれ複数の遊技媒体収納箱を積み重ねて載置し、上記各遊技媒体収納箱を、その嵌合溝をポールに嵌合して載置するとともに、少なくとも最上段の隣接する遊技媒体収納箱同士を結合部材により結合することで拘束するように構成する。この構成では、台車本体の中央部に立設したポールを挟んだ２個所にそれぞれ積み重ねて載置された複数の遊技媒体収納箱は、いずれもその嵌合溝がポールに嵌合し、また少なくとも最上段の隣接する遊技媒体収納箱同士を結合部材により結合することで拘束されることになり、台車本体上の２個所でそれぞれ積み重ねて載置される多数の遊技媒体収納箱の拘束状態を容易に実現することができる。
【００１４】
請求項４に係る考案は、上記嵌合溝を、遊技媒体収納箱の周縁より内側にポールの直径寸法程度凹ませて形成し、遊技媒体収納箱を、この嵌合溝内にポールを嵌め入れた状態で載置するとともに、嵌合溝の縁部間に閂部材を掛け渡すことでポールに固定して拘束するように設ける構成にする。この構成では、台車本体上に積み重ねて載置される各遊技媒体収納箱は、ポールの直径寸法程度凹んだ嵌合溝がポールに嵌合するだけでなく、嵌合溝に縁部間に閂部材を掛け渡すことでポールに固定して拘束されているため、遊技媒体収納箱の拘束状態を確実に実現することができる。
【００１５】
また、上記第２の課題を解決するため、請求項５に係る考案は、遊技媒体収納箱として、周縁より内側に凹んでなる嵌合溝を有し、ハンドル及びポールの少なくとも一方が立設された台車上に積み重ねて運搬するとき上記嵌合溝がハンドル又はポールの外周に嵌合して拘束されるように設ける構成にする。この構成では、台車上に複数の遊技媒体収納箱を積み重ねて運搬するとき、各遊技媒体収納箱の嵌合溝が台車側のハンドル又はポールに嵌合して拘束された状態にあるため、遊技媒体収納箱が横ずれなどを生じることはなく、安全にかつ数多くの遊技媒体収納箱を一度に運搬することができる。
【考案の効果】
【００１６】
以上のように、本考案の遊技媒体収納箱運搬用台車によれば、台車本体上に積み重ねて載置された複数の遊技媒体収納箱は、それぞれ周縁に形成した嵌合溝が台車本体に立設されたハンドル又はポールの外周に嵌合して拘束された状態にあるため、運搬時でも遊技媒体収納箱が横ずれなどを生じることはなく、安全にかつ数多くの遊技媒体収納箱を一度に運搬することができ、運搬性能及び利便性を高めることができる。また、台車本体上に遊技媒体収納箱を高く積み重ねることができるので、払出の良いことをアピールできるなどの効果をも奏する。
【００１７】
特に、請求項２に係る考案では、各遊技媒体収納箱の２個所に形成した嵌合溝がそれぞれハンドルの左右一対の脚部に嵌合することにより、遊技媒体収納箱の拘束状態を容易にかつ確実に実現することができ、実施化を図る上で有効なものである。
【００１８】
請求項３に係る考案では、台車本体の中央部に立設したポールを挟んだ２個所にそれぞれ積み重ねて載置された複数の遊技媒体収納箱は、いずれもその嵌合溝がポールに嵌合し、また少なくとも最上段の隣接する遊技媒体収納箱同士を結合部材により結合することで拘束されるため、台車本体上の２個所でそれぞれ積み重ねて載置される多数の遊技媒体収納箱の拘束状態を容易に実現することができ、実施化を図る上で有利である。
【００１９】
請求項４に係る考案では、台車本体上に積み重ねて載置される各遊技媒体収納箱は、ポールの直径寸法程度凹んだ嵌合溝がポールに嵌合するだけでなく、嵌合溝に縁部間に閂部材を掛け渡すことでポールに固定して拘束されているため、遊技媒体収納箱の拘束状態を確実に実現することができ、信頼性の向上を図ることができる。
【００２０】
また、本考案の遊技媒体収納箱によれば、台車上に複数の遊技媒体収納箱を積み重ねて運搬するとき、各遊技媒体収納箱の嵌合溝が台車側のハンドル又はポールに嵌合して拘束された状態にあるため、遊技媒体収納箱が横ずれなどを生じることはなく、安全にかつ数多くの遊技媒体収納箱を一度に運搬することができる。
【考案を実施するための最良の形態】
【００２１】
以下、本考案を実施するための最良の形態である実施形態を図面に基づいて説明する。
【００２２】
図１及び図２は本考案の第１の実施形態に係る遊技媒体収納箱運搬用台車１の全体構成を示す。この台車１は、平面的に見て１つの遊技媒体収納箱２を載置し得る大きさの台車本体３と、この台車本体３の裏面に取り付けられた４つの車輪４，４，…と、台車本体３の後端部に立設されたハンドル５とを備え、台車本体３上に複数の遊技媒体収納箱２，２，…を積み重ねて載置し、ハンドル５で押して運搬するようになっている。
【００２３】
上記ハンドル５は、図３及び図４にも示すように、水平方向に延びるパイプ状の握り部６と、この握り部６の両端にそれぞれ上端が連結された左右一対の脚部７，７とからなる。この両脚部７，７は、上端側から中間部に向かうに従って互いに近付くように湾曲した後平行状態で鉛直下方に延び、その下端が台車本体３の後端部の左右両側に設けた挿入孔８に挿入して固定されている。このハンドル５の各脚部７は、鉛直方向に延びる中間部で上下２つの部分７ａ，７ｂに分割され、この上下２つの分割部分７ａ，７ｂは、直径が若干異なるパイプ材からなり、上側分割部分７ａが下側分割部分７ｂの外側に嵌合するようになっている。また、下側分割部分７ｂには、図５に詳示するように、コイルバネ１１により付勢されたピン１２が内部より出没可能に設けられている一方、上側分割部分７ａには、このピン１２が嵌合可能な複数（図では３つ）のピン孔１３，１３，…が所定間隔毎に設けられており、上側分割部分７ａを下側分割部分７ｂに嵌合させたとき、ピン１２が１つのピン孔１３に嵌合して両分割部分７ａ，７ｂが結合され、また、ピン１２が嵌合するピン孔１３を選択することでハンドル５の握り部６の高さが調整されるようになっている。
【００２４】
一方、上記遊技媒体収納箱２は、図６ないし図８にも示すように、上面が開口する合成樹脂製の箱状のもので、上面開口１５の周縁部には全周に亘って外向きに突出するフランジ部１６が形成されている。このフランジ部１６は、上面開口１５の周縁のうち、特に短辺側の縁部で外向きに大きく突出しており、その部分に取っ手１７，１７が形成されている。また、上面開口１５の４隅部のフランジ部１６にはそれぞれ周縁より内側に凹ませてなりかつ上記ハンドル５の脚部７の外周に嵌合可能な嵌合溝１８，１８，…が形成されている。そして、遊技媒体収納箱２を台車本体３上に載置する際、一方の取っ手１７を挟む２つの嵌合溝１８，１８がそれぞれハンドル５の各脚部７の外周に嵌合することで遊技媒体収納箱２を拘束するように構成されている。
【００２５】
次に、上記第１の実施形態の作用効果を説明するに、台車本体３上に複数の遊技媒体収納箱２，２，…を積み重ねて載置するときには、予めハンドル５の左右一対の脚部７，７のうち、下側分割部分７ｂ，７ｂのみをそれぞれ台車本体３の後端部の対応する挿入孔８に挿入固定して立設しておく。そして、この下側分割部分７ｂ，７ｂに対し、その上方から遊技媒体収納箱２の一方の取っ手１７を挟む２つの嵌合溝１８，１８を嵌合させるように遊技媒体収納箱２を下ろして載置する。この載置の仕方では、遊技媒体収納箱２の２つの嵌合溝１８，１８をハンドル５の左右一対の脚部７，７の外周に嵌合させることを容易にかつ確実に行うことができる上、台車本体３上に積み重ねて載置された各遊技媒体収納箱２は、２つの嵌合溝１８，１８がハンドル５の左右一対の脚部７，７の下側分割部分７ｂ，７ｂの外周に嵌合することで鉛直方向に正しく積み重ねた状態に拘束されるため、従来の場合よりも数多くに積み重ねて載置することができる。
【００２６】
また、台車本体３上に載置した複数の遊技媒体収納箱２，２，…を運搬するときには、先ず、ハンドル５の残り部分つまり握り部６及び左右一対の脚部７，７の上側分割部分７ａ，７ａを、それぞれ各上側分割部分７ａで上記下側分割部分７ｂ，７ｂに嵌合して結合する。その際、各下側分割部分７ｂに設けたピン１２が、対応する上側分割部分７ａのピン孔１３に対し、コイルバネ１１により付勢されて嵌合することにより、両分割部分７ａ，７ｂの結合をワンタッチ操作でもって容易に行うことができる。その後、ハンドル５の握り部６を握って台車２を押すことによって、台車本体３上に数多く積み重ねて載置した遊技媒体収納箱２，２，…を安全に運搬することができる。
【００２７】
このように、台車本体３上に従来の場合よりも数多くの遊技媒体収納箱２，２，…を積み重ねて載置することができ、かつ安全に運搬することができるので、台車１を利用する遊技者にとって利便性の高いものになる。また、台車本体３上に遊技媒体収納箱２を高く積み重ねることができるので、ホールにとっては払出の良いことを他の遊技者にアピールできるなどの効果をも奏する。
【００２８】
図９ないし図１１は本考案の第２の実施形態に係る遊技媒体収納箱運搬用台車２１を示す。この台車２１は、平面的に見て２つの遊技媒体収納箱２２，２２を並列に載置し得る大きさの台車本体２３と、この台車本体２３の裏面に取り付けられた４つの車輪２４，２４，…と、台車本体２３の中央部に立設された円筒状のポール２５とを備えている。
【００２９】
上記ポール２５は、その頂部に旗２６を立てたり、台車２２を押したりするためのものである。上記台車本体２３上には、このポール２５を挟んだ２個所にそれぞれ複数の遊技媒体収納箱２２，２２，…が積み重ねて載置されている。
【００３０】
上記各遊技媒体収納箱２２は、図１２にも示すように、上面が開口する合成樹脂製の箱状のものであり、この上面開口２７の長手方向両側の縁部つまり短辺側の縁部にはそれぞれ指通し孔２８を有する取っ手２９が形成されている。また、各遊技媒体収納箱２２には、１つの長辺側の側壁部全体を周縁より内側に上記ポール２５の直径寸法の半分程度曲面状に凹ませてなりかつポール２５の外周に嵌合可能な嵌合溝３１が形成されている。そして、各遊技媒体収納箱２２を台車本体２３上のポール２５を挟んだ２個所に積み重ねて載置する際、各遊技媒体収容箱２２は、その嵌合溝３１をポール２５の外周に嵌合して載置されるとともに、少なくとも最上段の隣接する遊技媒体収納箱２２，２２同士を２つの結合部材３２，３２により結合することで拘束されるようになっている。
【００３１】
上記各結合部材３２は、図１３に詳示するように、二股状ないし逆Ｕ字状のもので、隣接する遊技媒体収納箱２２，２２同士の各取っ手２９の指通し孔２８に通して両者を結合するようになっている。
【００３２】
従って、上記第２の実施形態においては、台車本体２３の中央部に立設したポール２５を挟んだ２個所にそれぞれ積み重ねて載置された複数の遊技媒体収納箱２２，２２，…は、いずれもその嵌合溝３１がポール２５に嵌合し、また少なくとも最上段の隣接する遊技媒体収納箱２２，２２同士を２つの結合部材３２，３２により結合することで拘束されているため、台車本体２３上の２個所でそれぞれ従来の場合よりも数多くの遊技媒体収納箱２２，２２，…を積み重さて載置することができ、かつ安全に運搬することができる。その結果、台車２１の運搬性能ないし利便性を高めることができ、また、台車本体２３上に遊技媒体収納箱２２を高く積み重ねることができるので、払出の良いことを他の遊技者にアピールできるなどの効果をも奏する。
【００３３】
その上、上記各遊技媒体収納箱２２の拘束状態は、その嵌合溝３１側である１つの長辺側をポール２５に向けて載置し、かつ最上段の隣接する遊技媒体収納箱２２，２２同士を結合部材３２により結合するだけで容易に実現することができるので、実施化を容易に図ることができる。しかも、結合部材３２は、二股状のもので、最上段の隣接する遊技媒体収納箱２２，２２同士の取っ手２９の指通し孔２８に通すだけで両者を簡単に結合することができるので、実施化をより容易に図ることができる。
【００３４】
図１４及び図１５は本考案の第３の実施形態に係る遊技媒体収納箱運搬用台車４１を示す。この台車４１は、平面的に見て２つの遊技媒体収納箱４２，４２を並列に載置し得る大きさの台車本体４３と、この台車本体４３の裏面に取り付けられた４つの車輪４４，４４，…と、台車本体４３の後端部に立設されたハンドル４５とを備えている。
【００３５】
上記ハンドル４５は、第１の実施形態におけるハンドル５と同じく、水平方向に延びるパイプ状の握り部４６と、この握り部４６の両端からそれぞれ下方に延び、かつ下端が台車本体４３の後端部の左右両側に設けた挿入孔４８に挿入して固定される左右一対の脚部４７，４７とからなる。このハンドル４５の各脚部４７は、中間部で上下２つの部分４７ａ，４７ｂに分割され、この上下２つの分割部分４７ａ，４７ｂは、直径が若干異なるパイプ材からなり、上側分割部分４７ａが下側分割部分４７ｂの内側に嵌合して結合されるようになっている。上記台車本体４３上には、このハンドル４５寄りの第１位置とハンドル４５から離れた前側の第２位置とにそれぞれ複数の遊技媒体収納箱４２，４２，…が積み重ねて載置されている。
【００３６】
上記各遊技媒体収納箱４２は、第１の実施形態における遊技媒体収納箱２と同じく、上面が開口する合成樹脂製の箱状のもので、上面開口５１の周縁部には全周に亘って外向きに突出するフランジ部５２が形成されている。このフランジ部５２は、上面開口５１の周縁のうち、特に短辺側の縁部で外向きに大きく突出しており、その部分に取っ手（図では指通し孔５３を有する取っ手）５４，５４が形成されている。また、上面開口５１の一対の長辺縁部の一方には、それぞれフランジ部５２の周縁より内側に凹ませてなりかつ上記
ハンドル４５の各脚部４７の外周に嵌合可能な左右２つの嵌合溝５５，５５が形成されているとともに、他方には、この各嵌合溝５５に嵌合可能な左右２つの凸部５６，５６が突出して形成されている。そして、上記第１位置に積み重ねて載置される各遊技媒体収納箱４２は、左右２つの嵌合溝５５，５５がそれぞれ上記ハンドル４５の左右一対の脚部４７，４７の外周に嵌合して拘束され、また左右２つの凸部５６，５６が、それぞれ上記第２位置で積み重ねて載置されかつ同一段で隣接する他の遊技媒体収納箱４２の対応する嵌合溝５５，５５に嵌合するように構成されている。
【００３７】
従って、上記第３の実施形態においては、台車本体４３上のハンドル４５寄りの第１位置に積み重ねて載置される複数の遊技媒体収納箱４２，４２，…は、それぞれ上面開口５１の一方の長辺縁部に形成した左右２つの嵌合溝５５，５５が共にハンドル４５の左右一対の脚部４７，４７に嵌合することで拘束されることになり、また、台車本体４３上のハンドル４５から離れた前側の第２位置に積み重ねて載置される複数の遊技媒体収納箱４２，４２，…は、それぞれ同じく上面開口５１の一方の長辺縁部に形成した左右２つの嵌合溝５５，５５が、共に上記第１位置に積み重ねて載置されかつ同一段で隣接する他の遊技媒体収納箱４２の対応する凸部５６と嵌合することで拘束されるため、台車本体４３上の２個所でそれぞれ従来の場合よりも数多くの遊技媒体収納箱４２，４２，…を積み重ねて載置することができ、かつ安全に運搬することができる。その結果、台車４１の運搬性能ないし利便性を高めることができ、また、台車本体４３上に遊技媒体収納箱４２を高く積み重ねることができるので、払出の良いことを他の遊技者にアピールできるなどの効果をも奏する。
【００３８】
尚、本考案は上記第１ないし第３の実施形態に限定されるものではなく、その他種々の形態を包含するものである。例えば上記第１及び第３の実施形態では、台車本体３，４３の後端部に立設されるハンドル５，４５として、水平方向に延びる握り部６，４６と、この握り部６，４６の両端からそれぞれ下方に延び、かつ下端が台車本体３，４３に設けた挿入孔８，４８に挿入して固定される左右一対の脚部７，４７とを別々の部材により構成したが、本考案は、この握り部と左右一対の脚部とを１本のパイプ材により構成したり、握り部と左右一対の脚部のうちの上側分割部分とを１本のパイプ材により構成したりしてもよい。
【００３９】
また、上記第２の実施形態では、台車本体２３の中央部にポール２５を立設し、このポール２５を挟む台車本体２３の２個所にそれぞれ複数の遊技媒体収納箱２２，２２，…を積み重ねて載置する場合について述べたが、本考案は、台車本体の後端部にポールを立設し、このポールの前側に複数の遊技媒体収納箱を積み重ねて載置する場合にも適用することができる。その場合、図１６及び図１７に示すように、各遊技媒体収納箱６２に、１つの長辺側の側壁部中央部を周縁より内側に上記ポール６３の直径寸法程度凹ませてなりかつポール６３の外周に嵌合可能な嵌合溝６４を形成するとともに、この嵌合溝６４の縁部間に閂部材６５を掛け渡し可能に設け、各遊技媒体収納箱６２を、上記嵌合溝６４内にポール６３を嵌め込んだ状態で載置し、かつ上記閂部材６５を嵌合溝６４の縁部間に掛け渡すことでポール６３に固定して拘束するように構成してもよい。
【００４０】
さらに、上記第２の実施形態では、台車本体２３の中央部に立設したポール２５を押して運搬を行う構成にしたが、本考案は、このポール２５とは別に、第１の実施形態の如きハンドルを台車本体２３の後端部に立設し、このハンドルを押して運搬を行うように構成してもよいのは勿論である。
【図面の簡単な説明】
【００４１】
【図１】本考案の第１の実施形態に係る遊技媒体収納箱運搬用台車の正面図である。
【図２】同側面図である。
【図３】上記台車のハンドルの分解斜視図である。
【図４】上記ハンドルの側面図である。
【図５】図４のＸ−Ｘ線における拡大断面図である。
【図６】遊技媒体収納箱の平面図である。
【図７】同斜視図である。
【図８】同側面図である。
【図９】第２の実施形態に係る遊技媒体収納箱運搬用台車の使用状態を示す斜視図である。
【図１０】上記台車の平面図である。
【図１１】同じく台車の下部側の正面図である。
【図１２】図６相当図である。
【図１３】結合部材の斜視図である。
【図１４】第３の実施形態に係る遊技媒体収納箱運搬用台車の側面図である。
【図１５】同平面図である。
【図１６】別の実施形態に係る遊技媒体収納箱の平面図である。
【図１７】同正面図である。
【符号の説明】
【００４２】
１，２１，４１    遊技媒体収納箱運搬用台車
２，２２，４２，６２    遊技媒体収納箱
３，２３，４３    台車本体
５，４５    ハンドル
６，４６    握り部
７，４７    脚部
１８，３１，５５，６４    嵌合溝
２５，６３    ポール
６５    閂部材
【図１】
0003129987.tif 000003
【図２】
0003129987.tif 000004
【図３】
0003129987.tif 000005
【図４】
0003129987.tif 000006
【図５】
0003129987.tif 000007
【図６】
0003129987.tif 000008
【図７】
0003129987.tif 000009
【図８】
0003129987.tif 000010
【図９】
0003129987.tif 000011
【図１０】
0003129987.tif 000012
【図１１】
0003129987.tif 000013
【図１２】
0003129987.tif 000014
【図１３】
0003129987.tif 000015
【図１４】
0003129987.tif 000016
【図１５】
0003129987.tif 000017
【図１６】
0003129987.tif 000018
【図１７】
0003129987.tif 000019